(57)【要約】  タバコの群（４）を有するタバコの包装容器であって、タバコの群（４）を包む内側包装容器（３）は、タバコの群（４）の周りに直接的に折られ、タバコに直接的に接触する透明な熱融着性の樹脂包装材のシート（２２）により画定され、熱融着により固定されており、そして、硬質の材料のＵ字状の補強材（２３）が、内側包装容器（３）の内側に配置され、タバコの群（４）に接触している。
2010531788.tif 000002
【特許請求の範囲】
【請求項１】
タバコの群（４）と、タバコの群（４）を包み、タバコの群（４）の周りに直接的に折られ、タバコに直接的に接触する包装材のシート（２２）により画定される内側包装容器（３）と備えるタバコの包装容器（１）であって、
包装材のシート（２２）は、透明な熱融着の樹脂材料で形成されており、および、熱融着により固定されており、
硬質の材料のほぼＵ字状の補強材（２３）が、内側包装容器（３）の内側に配置され、タバコの群（４）に接触していることを特徴とする、包装容器。
【請求項２】
補強材（２３）は、タバコの群（４）の底壁に接触して配置されている底壁（２４）と、底壁（２４）の短い辺に接続され、タバコの群（４）の小さな側壁に接触して配置されている２つの側方タブ（２５）とを備えることを特徴とする、請求項１に記載の包装容器。
【請求項３】
補強材（２３）のそれぞれの側方タブ（２５）は、タバコの群（４）の上壁の上に折られる上部付加物を有することを特徴とする、請求項２に記載の包装容器。
【請求項４】
補強材（２３）のそれぞれの側方タブ（２５）は、少なくとも２つのそれぞれの長手方向の折り線に沿って折り曲げ可能な２つの側方部分を備えることを特徴とする、請求項２または３に記載の包装容器。
【請求項５】
内側包装容器（３）を部分的に包み、内側包装容器（３）の上壁を自由にしておく軟質の外側包装容器を備えることを特徴とする、請求項１から４のいずれか一項に記載の包装容器。
【請求項６】
内側包装容器（３）を収容する硬質の外側容器（２）を備えることを特徴とする、請求項１から４のいずれか一項に記載の包装容器。
【請求項７】
硬質の外側容器（２）は、カップ形状を有し、開口した上端部（７）を有し、開位置と閉位置とのそれぞれの間で開口した上端部（７）を開いたり閉じたりしながら、外側容器（２）に関して回動するように、ヒンジ（９）に沿って外側容器（２）にヒンジ連結されているカップ形状の蓋（８）を有することを特徴とする、請求項６に記載の包装容器。
【請求項８】
外側容器（２）は、少なくとも１つの貫通する窓（２６）を有し、窓を通じて内側包装容器（３）が下側に見えることを特徴とする、請求項６または７に記載の包装容器。
【請求項９】
内側包装容器（３）に接触する少なくとも１つのタバコの外側に向かう表面には、外側容器（２）を貫通して形成されている窓（２６）に位置する少なくとも１つの図形（２７）が印刷されていることを特徴とする、請求項６または７に記載の包装容器。
【請求項１０】
内側包装容器（３）に接触する少なくとも１つのタバコの外側に向かう表面には、少なくとも１つの図形（２７）が印刷されていることを特徴とする、請求項１から９のいずれか一項に記載の包装容器。
【請求項１１】
内側包装容器（３）は、再使用可能な覆い蓋（６）により閉じられているタバコの抜出し開口（５）を有することを特徴とする、請求項１から１０のいずれか一項に記載の包装容器。
【請求項１２】
抜出し開口（５）および覆い蓋（６）は、内側包装容器（３）の前壁の一部分および内側包装容器（３）の上壁の一部分を覆い、覆い蓋（６）は、覆い蓋（６）を掴んで持ち上げる掴みタブ（２１）を有し、および、覆い蓋（６）は、内側包装容器（３）の前壁において掴みタブ（２１）と共に配置されており、したがって、覆い蓋（６）は、上側に開き、覆い蓋（６）の上部は、内側包装容器（３）の上壁に接触したままで残ることを特徴とする、請求項１１に記載の包装容器。
【請求項１３】
抜出し開口（５）および覆い蓋（６）は、内側包装容器（３）の前壁の一部分および内側包装容器（３）の上壁の一部分を覆い、覆い蓋（６）は、覆い蓋（６）を掴んで持ち上げる掴みタブ（２１）を有し、および、覆い蓋（６）は、内側包装容器（３）の上壁において掴みタブ（２１）と共に配置されており、したがって、覆い蓋（６）は、下側に開き、覆い蓋（６）の底部は、内側包装容器（３）の前壁に接触したままで残ることを特徴とする、請求項１１に記載の包装容器。
【請求項１４】
掴みタブ（２１）は、少なくとも部分的に内側包装容器（３）の上壁から内側包装容器（３）の後壁に向かって飛び出していることを特徴とする、請求項１３に記載の包装容器。
【請求項１５】
内側包装容器（３）は、引き裂き線により内側包装容器（３）の残りの部分から分離され、内側包装容器（３）が開封されたときに引きちちぎられる除去可能な上部を有することを特徴とする、請求項１から１１のいずれか一項に記載の包装容器。
【請求項１６】
タバコの群（４）と、タバコの群（４）を包み、タバコの群（４）の周りに直接的に折られ、タバコに直接的に接触する包装材のシート（２２）により画定される内側包装容器（３）と、内側包装容器（３）を収容する硬質の外側容器（２）とを備えるタバコの包装容器（１）であって、
包装材のシート（２２）は、透明で熱融着される樹脂材料で形成され、熱融着により固定されており、
外側容器（２）は、少なくとも１つの貫通する窓（２６）を有し、窓を通じて内側包装容器（３）が下側に見えることを特徴とする、包装容器。
【請求項１７】
硬質の外側容器（２）は、カップ形状を有し、開口した上端部（７）を有し、開位置と閉位置とのそれぞれの間で開口した上端部（７）を開いたり閉じたりしながら、外側容器（２）に関して回動するように、ヒンジ（９）に沿って外側容器（２）にヒンジ連結されているカップ形状の蓋（８）を有することを特徴とする、請求項１６に記載の包装容器。
【請求項１８】
内側包装容器（３）に接触する少なくとも１つのタバコの外側に向かう表面には、外側容器（２）を貫通して形成されている窓（２６）に位置する少なくとも１つの図形（２７）が印刷されていることを特徴とする、請求項１６または１７に記載の包装容器。
【請求項１９】
タバコの群（４）と、タバコの群（４）を包み、覆い蓋（６）により閉じられる中央のタバコの抜出し開口（５）を有する内側包装容器（３）とを備えるタバコの包装容器（１）であって、
タバコの群（４）に弾性的な押圧力を働かせ、タバコの群（４）を抜出し開口（５）に対向する中央位置に保持するように、内側包装容器（３）の両側において、内側包装容器（３）の内側に配置されている２つの弾性体（２８）を備えることを特徴とする、包装容器。
【請求項２０】
覆い蓋（６）は、再使用が可能であり、乾燥せずに再貼付けが可能な接着剤により内側包装容器（３）に固定されていることを特徴とする、請求項１９に記載の包装容器。
【請求項２１】
硬質の材料で形成され、内側包装容器（３）の内側に配置され、タバコの群（４）に接触し、２つの弾性体（２８）を支持するほぼＵ字状の補強材（２３）を備えることを特徴とする、請求項１９または２０に記載の包装容器。
【請求項２２】
補強材（２３）は、タバコの群（４）の底壁に接触して配置されている底壁（２４）と、底壁（２４）の短い辺に接続され、タバコの群（４）の小さな側壁に接触して配置されている２つの側方タブ（２５）とを備えることを特徴とする、請求項２１に記載の包装容器。
【請求項２３】
補強材（２３）のそれぞれの側方タブ（２５）は、タバコの群（４）の上壁の上に折られている上部付加物を有することを特徴とする、請求項２２に記載の包装容器。
【請求項２４】
補強材（２３）のそれぞれの側方タブ（２５）は、少なくとも２つのそれぞれの長手方向の折り線に沿って折り曲げ可能である２つの側方部分を備えることを特徴とする、請求項２２または２３に記載の包装容器。
【請求項２５】
それぞれの弾性体（２８）は、補強材（２３）のそれぞれの側方タブ（２５）に一体化されていることを特徴とする、請求項２２，２３または２４に記載の包装容器。
【請求項２６】
それぞれの弾性体（２８）は、少なくとも部分的にアコーディオンの形状に折られている厚紙のシートにより画定されていることを特徴とする、請求項１９から２５のいずれか一項に記載の包装容器。
【請求項２７】
それぞれの弾性体（２８）は、アコーディオンの形状に折られている多数のパネル（３０）を有することを特徴とする、請求項２６に記載の包装容器。
【請求項２８】
それぞれの弾性体（２８）は、それぞれの長手方向の折り線（２９）の周りにアコーディオンの形状に折られる３つのパネル（３０）を備えることを特徴とする、請求項２７に記載の包装容器。
【請求項２９】
それぞれの弾性体（２８）は、中央パネル（３１）と、側方パネル（３２）の２つの群とを備え、それぞれの側方パネル（３２）の群における側方パネル（３２）は、アコーディオンの形状に折られていることを特徴とする、請求項２６に記載の包装容器。
【請求項３０】
それぞれの側方パネル（３２）の群は、それぞれの長手方向の折り線（２９）の周りにアコーディオンの形状に折られている２つの側方パネル（３２）を備えることを特徴とする、請求項２９に記載の包装容器。
【請求項３１】
弾性体（２８）は、抜出し開口（５）から所定の距離を空けて配置されるように、内側包装容器（３）よりも高さが低いことを特徴とする、請求項１９から３０のいずれか一項に記載の包装容器。
【請求項３２】
抜出し開口（５）および覆い蓋（６）は、内側包装容器（３）の前壁の一部分および内側包装容器（３）の上壁の一部分を覆い、覆い蓋（６）は、覆い蓋（６）を掴んで持ち上げる掴みタブ（２１）を有し、および、覆い蓋（６）は、内側包装容器（３）の前壁において掴みタブ（２１）と共に配置されており、したがって、覆い蓋（６）は、上側に開き、覆い蓋（６）の上部は、内側包装容器（３）の上壁に接触したままで残ることを特徴とする、請求項１９から３１のいずれか一項に記載の包装容器。
【請求項３３】
抜出し開口（５）および覆い蓋（６）は、内側包装容器（３）の前壁の一部分および内側包装容器（３）の上壁の一部分を覆い、覆い蓋（６）は、覆い蓋（６）を掴んで持ち上げる掴みタブ（２１）を有し、および、覆い蓋（６）は、内側包装容器（３）の上壁において掴みタブ（２１）と共に配置されており、したがって、覆い蓋（６）は、下側に開き、覆い蓋（６）の底部は、内側包装容器（３）の前壁に接触したままで残ることを特徴とする、請求項１９から３１のいずれか一項に記載の包装容器。
【請求項３４】
掴みタブ（２１）は、少なくとも部分的に内側包装容器（３）の上壁から内側包装容器（３）の後壁に向かって飛び出していることを特徴とする、請求項３３に記載の包装容器。
【発明の詳細な説明】
【技術分野】
【０００１】
本発明は、覆い蓋が取り付けられられた内側包装容器を有するタバコの包装容器に関する。
【０００２】
以下の記述においては、簡略化のために、単に非限定的な例示の方法により、硬質のヒンジ連結された蓋のタバコの包装体について参照する。
【背景技術】
【０００３】
硬質でヒンジ連結された蓋のタバコの包装体は、製造し易く、実用的であり、使い易いことにより、そして、内側にタバコを効果的に保護することにより、現在では最も広く市場で売買されている。
【０００４】
硬質のヒンジ連結されたタバコの包装体は、内側の金属箔の包装材のシートに包まれたタバコの群により画定される内側包装容器と、内側包装容器を収容する硬質の外側包装容器とを備える。外側包装容器は、タバコの群を収容し、開口した上端部を有するカップ形状の容器と、開位置と閉位置とのそれぞれの間で開口した端部を開いたり閉じたりしながら、容器に関して回動するようにヒンジに沿って容器にヒンジ連結されたカップ形状の蓋とを備える。Ｕ字状に折られたカラーは、通常は、容器の内部に取り付けられ、蓋が閉位置になったときに、対応する蓋の内面と係合するように、開口した端部の外側に向かって部分的に飛び出している。
【発明の概要】
【発明が解決しようとする課題】
【０００５】
タバコは、非常に環境に敏感である。すなわち、大気と接触すると、タバコの有機的特徴は、湿度の変化とともに（過度の水分を失ったりまたは吸収したりすることにより）変化する傾向があり、または、タバコに染み込ませた揮発性物質の蒸発のために（特に、丁字のような香辛料と共に取り扱われる芳香を有するタバコの場合には）変化する傾向がある。タバコを保存するために、タバコの包装体は、それ故に、セロファン（登録商標）で包まれ、すなわち、気密性を有する樹脂材料の熱融着される上包に包まれている。しかしながら、特に、包装体の製造の後にしばらく消費されたときには、このことは包装体の中にタバコを完全に保存することが必ずしも十分ではない。さらに、包装体が開封され、上包みが取り除かれ、このようにタバコが大気に露出したときに、および、もしも包装体が開封された後に、暫くしてもタバコが消費されなかったときには、残ったタバコの有機的特徴は、明らかに劣化するであろう。
【０００６】
この欠点を解消する試みにおいて、硬質なタバコの包装体が提案されてきており、そこでは、内側包装容器は、熱融着されて気密性を有し、再使用可能な覆い蓋により閉じられるタバコの抜出し開口を有する気密性の内側包装材のシートを備える。換言すれば、覆い蓋は、タバコの抜出し開口を閉じる閉位置に覆い蓋を繰り返し固定する固定手段（例えば、乾燥せずに再貼付けが可能な接着剤の細長材）を有する。
【０００７】
内側包装容器がタバコの抜出し開口を有する気密性の包装材のシートを備える硬質のタバコの包装体の１つの問題は、一旦、いくつかのタバコが取り出されると、内側包装容器がつぶれる傾向にあり、従って残っているタバコを引き出すことが難しくなり、そして、特に覆い蓋を開閉することが難しくなる。さらに、気密性の内側包装材のシートの重ねられる部分を熱融着するときに、タバコは機械的な圧力を受けて、局所的な変形および／またはタバコの副次的な影響が生じる結果になり、そして、熱的な応力を受けて、タバコの局所的な劣化が生じる結果になる場合がある。
【０００８】
問題を解決するために、気密性の内側包装材のシートを折り曲げたり熱融着したりするときに、内側包装容器の形状を維持し、タバコを保護するために、厚紙の補強材の形で、内側包装容器の内側において、タバコの群の周りに硬質のカラーを挿入することが提案されてきている。しかしながら、タバコの群の周りに内側包装材のシートを折り曲げる前に、タバコの群の周りに硬質のカラーを配置および折り曲げることは、標準的な包装機械においては極めて困難であり、このことは、この種類の包装体は、標準的な種類のものに相当する機械よりも非常に高価な特別の包装機械が必要になることを意味する。
【０００９】
さらに、気密性の内側包装容器を製造するために現在に用いられている気密性の内側包装材のシートは、少なくとも１つの金属箔の内側層と、熱融着の樹脂の外側層とを備える多層の包装材により形成されている。この結果、シートは、厚く、強く、および、それ故に曲げ難くなっており、そして、タバコの群の外面形状を忠実に再生することができずに（すなわち、四角形の角を形成することができずに）、このように、一般的に使用者に不人気の「凸状の」気密性の内側包装容器になっていた。
【課題を解決するための手段】
【００１０】
本発明の目的は、前述の欠点を排除するように設計されると共に、安価で製造することが容易なタバコの包装容器を提供することを目的とする。
【００１１】
本発明に従えば、添付の特許請求の範囲において請求されているタバコの包装容器を提供することができる。
【図面の簡単な説明】
【００１２】
【図１】本発明に従ったタバコの包装体の閉じた形態において、正面側から見たときの斜視図である。
【図２】図１のタバコの包装容器の開いた形態において、正面側から見たときの斜視図である。
【図３】図１のタバコの包装容器の閉じた形態において、背面側から見たときの斜視図である。
【図４】図１の包装容器の内側包装容器を正面側から見たときの斜視図である。
【図５】図４の内側容器を分解したときの斜視図である。
【図６】図４の内側包装容器の他の形態である。
【図７】図４の内側包装容器の更なる実施形態の上面図である。
【図８】図７の内側包装容器の断面図である。
【図９】図７の内側包装容器の補強材の斜視図である。
【図１０】図７の内側包装容器の補強材の展開図である。
【図１１】図７の内側包装容器の変形の断面図である。
【図１２】図１１の内側包装容器の補強材の展開図である。
【発明を実施するための形態】
【００１３】
本発明の多数の非限定的な実施形態が、添付の図面を参照して例示によりに記述されるであろう。
【００１４】
図１、図２および図３における符号１は、概して、硬質の厚紙で形成されたカップ形状の外側容器２と、容器２の内部に収容されている内側包装容器３とを備える硬質のタバコの包装体を示す。包装容器３は、平行六面体形状のタバコの群４を収容し、そして、上部の前側には、再使用が可能な覆い蓋６により閉じられ、包装容器３の前壁の一部分および包装容器３の上壁の一部分を覆って延びている中央のタバコの抜出し開口５を有する。
【００１５】
外側容器２は、開口した上端部７と、ヒンジ９に沿って容器２にヒンジで連結され、容器２に関して、開位置（図２）と閉位置（図１および図３）との間で回動し、開口した上端部７をそれぞれ開いたり閉じたりするカップ形状の蓋８を有する。
【００１６】
蓋８が閉位置では、外側容器２は、長方形の平行六面体形状を有し、互いに向かい合っており平行な上壁１０および底壁１１と、向かい合っており平行な２つの大きな側壁１２および側壁１３と、向かい合っており平行な２つの小さな側壁１４とを備える。より特定的には、１つの大きな側壁１２は、外側容器２の前壁１２を画定し、そして、他の大きな側壁１３は、外側容器２の後壁１３を画定する。４つの長手方向の端１５は、側壁１４と前壁および後壁１２，１３との間に画定され、８個の横方向の端１６は、上壁および底壁１０，１１と、前壁、後壁および側壁１２，１３，１４との間で画定されている。
【００１７】
包装体１は、カラー１７を備え、カラー１７は、開口した上端部７の外側に部分的に飛び出し、蓋８が閉位置になるときに蓋８の対応する内面に係合するようにＵ字に折られて、外側容器２の内側に固定され（通常は接着され）ている。カラー１７は、硬質の厚紙により形成され、そして、外側容器２の前壁１２に接触する前壁１８と、前壁１８の両側に配置され、外側容器２の小さな側壁１４に接触する２つの側壁１９とを備える。
【００１８】
好ましい形態においては、カラー１７は、２つの側方突出部２０を有し、側方突出部は、蓋８を閉位置に保持するために蓋８の側壁に干渉しながら係合する。
【００１９】
好ましい形態においては、覆い蓋６は、覆い蓋６の裏面に塗布されている乾燥しない再貼付けが可能な接着剤を用いて包装容器３に固定されており、そして、抜出し開口５の全体に関して延びており、したがって、覆い蓋６は、包装容器３から部分的に繰り返して取り外すことができ（すなわち、それぞれの回においてタバコの包装体１が開かれ）、そして、次に包装容器３の表面に戻されて固定される。覆い蓋６は、好ましくは、覆い蓋６を掴んで持ち上げることができ、そして、再貼付けの接着剤を有しておらず、カラー１７の前壁１８の表面に置かれる底の掴みタブ２１を有する。言い換えれば、覆い蓋６を持ち上げるために、使用者は、カラー１７の前壁１８に少しも固定されていない掴みタブ２１を単に掴む。
【００２０】
図示されていない他の実施形態においては、包装容器３は、抜出し開口５を有しておらず、および覆い蓋６を有しておらず、そして引き裂き線により包装容器３の残りの部分から分離され、包装容器３が開封されたときに引きちぎられる除去可能な上部を有している。好ましくは、包装容器３は、引き裂き線に沿って包装容器３を引き裂いて開口するための引き裂きの細長材を有する。
【００２１】
図１から図５に示されるように、包装容器３は、包装材の四角形のシート２２を折ることにより形成され、包装材は、透明で気密であり熱融着の樹脂材料（典型的にはポリプロピレン）から形成されており、そしてタバコの群４の周りに直接的に折り曲げられ、タバコに直接的に接触する。包装容器３を形成するために、包装材のシート２２が、タバコの群４の周りにいったん折り曲げられると、包装容器３の形状は、包装材のシート２２の重ねられた部分を熱融着することにより固定される。
【００２２】
タバコの群４の周りに折り曲げられる前に、包装材のシート２２は、抜出し開口５を画定するために切られ、次に、内面にのり付けがされている覆い蓋６が、包装材のシート２２に貼り付けられる。すなわち、覆い蓋の内面は、抜出し開口５の内側において、包装材のシート２２の内側部分が永久的に覆い蓋６に接着され、抜出し開口５の外側において、包装材のシート２２が取外し可能に覆い蓋６に接着される再貼付けの接着剤により覆われている。
【００２３】
図５に示されるように、包装容器３は、硬質の厚紙により形成され（外側容器２およびカラー１７の材質と同一であり）、そしてタバコの群４に接触して包装容器３の内側に挿入されているＵ字状の補強材２３を備える。補強材２３は、タバコの先端により画定されるタバコの群４の底壁に接触して配置されている四角形の底壁２４と、底壁２４の短い辺に接続されており、タバコの円柱状の側壁により画定されているタバコの群４の小さな側壁に接触して配置されている２つの側方タブ２５とを備える。
【００２４】
図示されていない変形においては、補強材２３のそれぞれの側方タブ２５は、タバコの群４の上壁の上に折り曲げられる上部付加物を有していても構わない。
【００２５】
図示されていない更なる実施形態においては、長手方向の端１５が四角形になっておらずに、（特許ＥＰ０２０４９３３Ｂ１に記述されている様に）傾斜していたり、（特許ＥＰ０２０５７６６Ｂ１に記述されている様に）丸くなっていたり、または、（特許出願ＷＯ００４３２８９Ａ１に記述されている様に）枕の形状を有していたりするときに、補強材２３のそれぞれの側方タブ２５は、外側容器２の長手方向の端１５の形状に適合するように、少なくとも２つのそれぞれの長手方向の折り線に沿って折り曲げ可能な２つの側方部分を備えていても構わない。外側容器２の長手方向の端１５が傾斜している場合には、それぞれの側方部分は、１つの長手方向の折り線に沿って折り曲げ可能であり、そして、外側容器２の長手方向の端が丸まっているか枕の形状である場合には、それぞれの側方部分は、多数の平行な近接して離れた長手方向の折り線に沿って折り曲げ可能である。
【００２６】
補強材２３は、部分的に充填されている包装容器３の形崩れが生じ、従って残っているタバコを取り出すことを困難にし、そして特に、覆い蓋６の開閉を困難にすることを防止するために、補強を提供し、そして包装容器３の形状を維持する。補強材２３のさらなる機能は、包装材のシート２２を折り曲げるときに、タバコの適切な機械的な保護を提供し、包装材のシート２２の重ねられる部分を熱融着する時に、タバコの適切な機械的および熱的な保護を提供し、そして、包装容器３を取り扱うときにタバコの適切な機械的な保護を提供する。
【００２７】
図１から図５の実施形態において、抜出し開口５の覆い蓋６は、包装容器３の前壁において掴みタブ ２１と共に配置されており、それ故に、上側に向かって開けられ（すなわち、包装容器３の前壁から上壁に向かって開かれ）、そして、覆い蓋６の上部は、包装容器３の上壁に接触したまま残る。図６の変形においては、抜出し開口５の覆い蓋６は、包装容器３の上壁の上の掴みタブ２１と共に配置されており、それ故に、下側に向かって開かれ（すなわち、包装容器３の上壁から前壁に向かって開かれ）、そして、覆い蓋６の底部は、包装容器３の前壁に接触したまま残る。掴むことを容易にするために、掴みタブ２１の一部分または全部は、包装容器３の上壁から後壁に向かって飛び出していても構わない。
【００２８】
図３に示される一つの可能な形態においては、タバコの包装体１の外側容器２は、少なくとも１つの貫通する窓２６を有し、下側の包装容器３まで通り抜けており、そして、包装容器３が透明であるので、群４のタバコを見ることができる。図３に示されるように、窓２６は、外側容器２の後壁１３（カラー１７により係合されていない）を通じて形成されている。代替的には、窓２６は、外側容器２の前壁１２（カラー１７により係合されていない部分において）を通じて形成されていても構わない。窓２６は、窓２６の周りで外側容器２の内面に固定されている透明な樹脂材料のシートにより内側から閉じられていても構わない。
【００２９】
図５において破線により示される更なる形態においては、包装容器３に接触する少なくとも１つのタバコの外側に向かう表面には、図形２７（例えば、ロゴマーク、言葉、図、隣接するタバコに印刷された他の文字と共に言葉を形成している文字）が印刷され、図形は、包装容器３が透明であるので、包装容器３の外側から見ることができる。好ましい形態においては、図形２７（もしくは概して図形２７）は、外側容器２の外側から（すなわちタバコの包装体１の外側から）見ることができるように、外側容器２を貫通する窓２６の位置に配置されている。
【００３０】
抜出し開口５は、包装容器３の中央部分を覆うのみであるために、側方のタバコが不可避的に隠されており、そして、タバコの包装体１の通常の使用期間中には、特に、包装容器３が「密接して引かれている」場合、すなわち、実質的に隙間なくタバコの群４の周りに包まれた場合には、取り出すことが困難であるだろう。側方のタバコの取り出しを容易にするために、図７から図１２の実施形態に示されるように、改善された補強材２３が提案されてきている。
【００３１】
図７から図１２に示されるように、２つの弾性体２８は、弾性的な押圧力を働かせ、従って、タバコの群４を抜出し開口５に対向する中央位置に保つために、包装容器３の内側および両側に配置されている。言い換えれば、タバコの群４は、２つの弾性体２８の両側の側面に立っており、弾性体は、初めは十分に圧縮され、そして、タバコの群４の残りの部分を抜出し開口５に対向する中央位置に保つために、タバコが抜出し開口５を通じて取り出されると共に徐々に広がる。
【００３２】
好ましい形態においては、２つの弾性体２８は、補強材２３により支持されている。より特定的には、それぞれの弾性体２８は、厚紙のシートを備え、シートは、少なくとも一部分がアコーディオンの形状に折られ、そして、少なくとも１つの長手方向の折り線２９に沿って補強材２３の側方タブ２５に固定されている。
【００３３】
図７から図１０の実施形態においては、それぞれの弾性体２８は、それぞれの長手方向の折り線２９に関してアコーディオンの形状に折られた３つのパネル３０を備える。変形においては、それぞれの弾性体２８は、明らかに、異なる数（例えば１つ、２つ、４つまたは５つ）のアコーディオンの形状に折られたパネル３０を備えていても構わない。図１１および図１２の実施形態においては、それぞれの弾性体２８は、中央パネル３１と、側方パネル３２の２つの群とを備え、それぞれにおいて、側方パネル３２が、それぞれの長手方向の折り線２９に関してアコーディオンの形状で折られる。好ましくは、側方パネル３２のそれぞれの群は、それぞれの長手方向の折り線２９についてアコーディオンの形状に折られている２つの側方パネル３２を備える。
【００３４】
好ましい形態においては、弾性体２８（すなわち、パネル３０，３１，３２）は、抜出し開口５から所定の距離を空けて配置されるために、包装容器３よりも高さ、すなわち長手方向に短く、このために、抜出し開口５に近接して、タバコの群４の側面が明確（すなわち弾性体２８により係合されていない）になり、使用者が群４からタバコを容易に取り出すことが許容される。
【００３５】
弾性体２８により、タバコの群４は、ほとんど完全に消費されたときでさえも、抜出し開口５に対向する中央位置に維持され、このように、抜出し開口が包装容器３の中央部分のみにわたっているにも関わらず、抜出し開口５を通じてタバコを容易に早く取り出すことを可能にする。
【００３６】
包装容器３が上述の透明な樹脂材料により形成されているか、または不透明の樹脂材料（典型的には灰色の箔）により形成されているかどうかに関わらず、示されたこれらの利点および弾性体２８は、中央の抜出し開口５を有する任意の種類の包装容器３と共に用いることができることに注意することが重要である。
【００３７】
さらに、図示される実施形態において、記述された包装容器３は、包装容器３を収容する外側容器２を備える硬質なタバコの包装体１の一部分を形成する。図示されていない他の実施形態においては、記述された包装容器３は、部分的に包装容器３を包む（上壁が自由なままになっている）外側包装容器を備える軟質なタバコの包装体の一部分を形成していても構わない。更なる実施形態においては、記述された包装容器３は、タバコの包装容器を構成し、この場合においては、透明な包装材のシート２２の外面が（法律、ロゴマーク、意匠、商標等により要求される情報と共に）印刷されていても構わない。
【００３８】
上述された包装容器３は、多くの利点を有する。特に、補強材２３を容易に折り曲げることができるために、たとえ一般的な包装機械においても、安価および容易に製造することができる。この結果、上述のタバコの包装体１（包装容器３を収容する）は、特別な目的の機械を必要とすることとは対照的に、一般的な包装機械により製造することができる。
【００３９】
更に、極端に薄くおよび柔軟に形成し、包装材のシート２２は、タバコの群４の外面形状を忠実に再生することができ（すなわち、四角形の端を形成することができ）、このように、消費者の間で、より人気の高い「四角形」に仕上げられた包装容器３になる。
【図１】
2010531788.tif 000003
【図２】
2010531788.tif 000004
【図３】
2010531788.tif 000005
【図４】
2010531788.tif 000006
【図５】
2010531788.tif 000007
【図６】
2010531788.tif 000008
【図７】
2010531788.tif 000009
【図８】
2010531788.tif 000010
【図９】
2010531788.tif 000011
【図１０】
2010531788.tif 000012
【図１１】
2010531788.tif 000013
【図１２】
2010531788.tif 000014
【手続補正書】
【提出日】平成22年3月1日(2010.3.1)
【手続補正１】
【補正対象書類名】特許請求の範囲
【補正対象項目名】全文
【補正方法】変更
【補正の内容】
【特許請求の範囲】
【請求項１】
タバコの群（４）と、タバコの群（４）を包み、中央のタバコの抜出し開口（５）を有する内側包装容器（３）とを備えるタバコの包装容器（１）であって、
タバコの群（４）に弾性的な押圧力を働かせ、タバコの群（４）を抜出し開口（５）に対向する中央位置に保持するように、内側包装容器（３）の両側において、内側包装容器（３）の内側に配置されている２つの弾性体（２８）を備えることを特徴とする、包装容器。
【請求項２】
タバコの抜き出し開口（５）は、内側包装容器（３）の前壁の限定された一部分、および内側包装容器（３）の上壁の限定された一部分にわたって延びていることを特徴とする、請求項１に記載の包装容器。
【請求項３】
硬質の材料で形成され、内側包装容器（３）の内側に配置され、タバコの群（４）に接触し、２つの弾性体（２８）を支持するほぼＵ字状の補強材（２３）を備えることを特徴とする、請求項１または２に記載の包装容器。
【請求項４】
補強材（２３）は、タバコの群（４）の底壁に接触して配置されている底壁（２４）と、底壁（２４）の短い辺に接続され、タバコの群（４）の小さな側壁に接触して配置されている２つの側方タブ（２５）とを備えることを特徴とする、請求項３に記載の包装容器。
【請求項５】
補強材（２３）のそれぞれの側方タブ（２５）は、タバコの群（４）の上壁の上に折られている上部付加物を有することを特徴とする、請求項４に記載の包装容器。
【請求項６】
補強材（２３）のそれぞれの側方タブ（２５）は、少なくとも２つのそれぞれの長手方向の折り線に沿って折り曲げ可能である２つの側方部分を備えることを特徴とする、請求項４または５に記載の包装容器。
【請求項７】
それぞれの弾性体（２８）は、補強材（２３）のそれぞれの側方タブ（２５）に一体化されていることを特徴とする、請求項４，５または６に記載の包装容器。
【請求項８】
それぞれの弾性体（２８）は、少なくとも部分的にアコーディオンの形状に折られている厚紙のシートにより画定されていることを特徴とする、請求項１から７のいずれか一項に記載の包装容器。
【請求項９】
それぞれの弾性体（２８）は、アコーディオンの形状に折られている多数のパネル（３０）を有することを特徴とする、請求項８に記載の包装容器。
【請求項１０】
それぞれの弾性体（２８）は、それぞれの長手方向の折り線（２９）の周りにアコーディオンの形状に折られる３つのパネル（３０）を備えることを特徴とする、請求項９に記載の包装容器。
【請求項１１】
それぞれの弾性体（２８）は、中央パネル（３１）と、側方パネル（３２）の２つの群とを備え、それぞれの側方パネル（３２）の群における側方パネル（３２）は、アコーディオンの形状に折られていることを特徴とする、請求項８に記載の包装容器。
【請求項１２】
それぞれの側方パネル（３２）の群は、それぞれの長手方向の折り線（２９）の周りにアコーディオンの形状に折られている２つの側方パネル（３２）を備えることを特徴とする、請求項１１に記載の包装容器。
【請求項１３】
弾性体（２８）は、抜出し開口（５）から所定の距離を空けて配置されるように、内側包装容器（３）よりも高さが低いことを特徴とする、請求項１から１２のいずれか一項に記載の包装容器。
【請求項１４】
中央のタバコの抜出し開口（５）は、覆い蓋（６）により閉じられることを特徴とする、請求項１から１３のいずれか一項に記載の包装容器。
【請求項１５】
覆い蓋（６）は、再使用が可能であり、乾燥せずに再貼付けが可能な接着剤により内側包装容器（３）に固定されていることを特徴とする、請求項１４に記載の包装容器。
【請求項１６】
内側包装容器（３）を収容し、カップ形状を有し、および開口した上端部（７）を有する硬質の外側容器（２）と、
開位置と閉位置とのそれぞれの間で開口した上端部（７）を開いたり閉じたりしながら、外側容器（２）に関して回動するように、ヒンジ（９）に沿って外側容器（２）にヒンジ連結されているカップ形状の蓋（８）とを備えることを特徴とする、請求項１から１５のいずれか一項に記載の包装容器。
【手続補正２】
【補正対象書類名】明細書
【補正対象項目名】０００９
【補正方法】変更
【補正の内容】
【０００９】
さらに、気密性の内側包装容器を製造するために現在に用いられている気密性の内側包装材のシートは、少なくとも１つの金属箔の内側層と、熱融着の樹脂の外側層とを備える多層の包装材により形成されている。この結果、シートは、厚く、強く、および、それ故に曲げ難くなっており、そして、タバコの群の外面形状を忠実に再生することができずに（すなわち、四角形の角を形成することができずに）、このように、一般的に使用者に不人気の「凸状の」気密性の内側包装容器になっていた。
ＧＢ３１１９５７Ａ号明細書およびＵＳ１７９０３７０Ａ１号明細書には、一方の端部が開口している袋のような外側のケースと、その中でスライド可能であり、空気及び防水材料に包まれるタバコを含む内側の引出し部分とを備えるタバコの包装容器が開示されている。
【国際調査報告】
2010531788.tif 000015
2010531788.tif 000016
2010531788.tif 000017
2010531788.tif 000018
2010531788.tif 000019